(57)【要約】【課題】車両の側面をブラッシングするサイドブラシを備える洗車機において、左右のいずれか一方のサイドブラシを用いて被洗浄車両の前面と後面を洗浄できる洗車機を提供する。【解決手段】走行レール３０に沿って左右方向に移動可能な左右一対の走行ホルダー５０Ａ、５０Ｂにサイドブラシ５（５Ａ、５Ｂ）を備えた洗車機ＷＡにおいて、それぞれの走行ホルダー５０Ａ、５０Ｂに接続するケーブルを挿通するケーブル支持案内部材７２Ａ、７２Ｂ同士が干渉しないケーブル支持構成として、いずれか一方の走行ホルダーが全開位置にあるときにも、他方の走行ホルダーが全閉位置となるまで移動可能な構成とした。【選択図】図１
2015205554.tif 000002
【特許請求の範囲】
【請求項１】
被洗浄車両と洗車機本体を前後方向に相対移動させながら洗車を行う洗車機であって、洗車機本体の左右方向に延設される走行レールと、該走行レールに走行可能に装着される左右一対の走行ホルダーと、該走行ホルダーにそれぞれ回転可能に装着される左右一対のサイドブラシと、を備え、
前記サイドブラシは、前記走行ホルダーを介して開閉可能に構成され、左右のサイドブラシが両側に離れた全開位置と、左右のサイドブラシが当接する全閉位置との間を変位可能とすると共に、
それぞれの走行ホルダーに接続するケーブルを挿通するケーブル支持案内部材同士が干渉しないケーブル支持構成として、いずれか一方の前記走行ホルダーが全開位置にあるときにも、他方の走行ホルダーが全閉位置となるまで移動可能にしたことを特徴とする洗車機。
【請求項２】
前記ケーブル支持構成は、
前記ケーブル支持案内部材を支持する案内部材支持受け台を備えると共に、
前記案内部材支持受け台として、左走行ホルダーに接続する左ケーブル支持案内部材を支持する第１案内部材支持受け台と、右走行ホルダーに接続する右ケーブル支持案内部材を支持する第２案内部材支持受け台と、を設け、
第１案内部材支持受け台と第２案内部材支持受け台は、その高さ方向を段ちにして、それぞれの前記ケーブル支持案内部材同士が互いに干渉しない上下２段式とし、走行移動する左右の前記走行ホルダーと干渉しない領域に配設したことを特徴とする請求項１に記載の洗車機。
【請求項３】
左右の前記走行ホルダーは互いに当接する当接部をそれぞれ備え、互いの位置に拘らずに互いに当接した位置で停止可能とされ、互いに当接した状態で、左右の前記サイドブラシは洗浄範囲を重なり合わせてブラッシング可能とされることを特徴とする請求項１または２に記載の洗車機。
【請求項４】
左右のケーブル支持案内部材の設置長さは、左サイドブラシが開限界の左側端部に居るときに、右サイドブラシはこの左サイドブラシに当接するまで移動でき、右サイドブラシが開限界の右側端部に居るときに、左サイドブラシはこの右サイドブラシに当接するまで移動できる長さとしたことを特徴とする請求項１から３のいずれかに記載の洗車機。
【請求項５】
前記走行レールの端部軸を軸受け体に支持して前後方向に傾動可能に構成し、前記走行レールの左右両端部に第１案内部材支持受け台と第２案内部材支持受け台を一体に支持する支持フレームを設け、該支持フレームと前記走行レールとが一体に傾動することを特徴とする請求項２から４のいずれかに記載の洗車機。
【請求項６】
前記当接部は左右の前記走行ホルダーが当接する対面部に設け、前記ケーブル支持案内部材は対面部を離れた背面側に接続されることを特徴とする請求項３から５のいずれかに記載の洗車機。
【発明の詳細な説明】
【技術分野】
【０００１】
本発明は、サイドブラシを用いて洗車する洗車機に関する。
【背景技術】
【０００２】
従来、洗車に使用される洗車機としては、給油所などに設置されて、被洗浄車両と洗車機本体を前後方向に相対移動させながら、被洗浄車両に貯液タンクに貯留された液剤や洗浄水を噴射して、また、ブラッシングして洗車を行う構成とされる門型洗車機が知られている。
【０００３】
従来の門型洗車機の洗車方法は、先ず、洗浄水を用いて汚れを落とし、次いでシャンプーなどの液剤を用いて洗浄し、さらに洗浄水を用いて水洗いする洗浄工程を実施する。この洗浄工程の後で、各送風ノズルから送風して乾燥する乾燥工程が行われる。また、必要に応じてワックスや撥水コートなどの液剤塗布工程を適宜組み合わせて洗車を行う。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
上記した洗車機においては、被洗浄車両の側面をブラッシングするためのサイドブラシと上面をブラッシングするためのトップブラシと、ブラッシング洗浄した後で乾燥するためのサイド送風ノズルとトップ送風ノズルを備えているものが知られている。また、サイドブラシやトップブラシを被洗浄車両に軽く当接させた状態でブラッシング洗浄するために、例えば、左右一対のサイドブラシを左右方向に移動可能（開閉可能）に支持し、トップブラシを上下に昇降可能に支持して、それぞれのブラシと車体との反発バランスにより、ブラシ位置を車体表面から一定距離に保つようにしている。また、それぞれのブラシを回転駆動するモータの電流値を検知し、この電流値を所定範囲内に抑制するように開閉移動もしくは昇降移動制御することにより、被洗浄車両の形状に沿って洗浄することが行われている。
【０００５】
また、被洗浄車両の側面を洗浄するサイドブラシを用いて被洗浄車両の前面や後面を洗浄することも一般に行われている。そのため、被洗浄車両の傾斜した前面や後面を良好に洗浄するために、サイドブラシは前後方向に傾斜可能に構成されている。すなわち、このような洗車機に備えるサイドブラシは、車両の左右方向に加えて前後方向にも傾動可能とされている。また、左右一対のサイドブラシを用いて被洗浄車両の前面や後面を良好に洗浄するために、左右のサイドブラシは互いに当接する部位まで接近してブラッシング可能に構成されている。すなわち、従来の洗車機に備えるサイドブラシは、左右一対のサイドブラシを用いて被洗浄車両の幅全域を洗浄可能とされている。
【０００６】
例えば、特許文献１に記載の洗車機は、洗車機本体の上部の左右方向に延設する１本の走行レールに左右一対の走行ホルダーを配設して、それぞれにサイドブラシを回転可能に装着し、また、左右方向に揺動可能に装着している。例えば、前後方向軸（揺動支持部）を介してサイドブラシのブラシ軸を回転自在且つ揺動自在に支持する構成としている。さらに、走行レールの端部軸を軸受け体に支持して前後方向に傾動可能に構成することにより、左右のサイドブラシは走行レールと一体に前後方向に傾動可能とされる。
【０００７】
上記のように、従来のサイドブラシは、左右方向に延設される走行レールに沿って走行移動する走行ホルダーに回転可能に装着されており、左右方向に傾斜可能で前後方向に傾動可能に構成されている。また、それぞれの走行ホルダーには、走行用モータや回転駆動用モータなどの電装品が装着されており、給電用ケーブルや制御用ケーブルをケーブル支持案内装置（ケーブルベア（登録商標）とも称する）を用いて接続して、左右方向に進退可能に構成している。
【０００８】
そのため、左の走行ホルダーに対しては洗車機本体の左側から延びるケーブル支持案内装置が接続され、右の走行ホルダーに対しては洗車機本体の右側から延びるケーブル支持案内装置が接続され、左右の走行ホルダー同士が近接する位置まで左右のケーブル支持案内装置が変位可能となっている。そして、左右の走行ホルダーが最接近した位置で左右のサイドブラシが当接するようにして洗い残しを生じないようにしている。
【０００９】
例えば、特許文献１の図５には、左右の走行ホルダーにケーブル支持案内装置に相当する支持案内保護装置を接続したサイドブラシ装置が開示されている。また、特許文献１の図７には、左右の支持案内保護装置が、同じ受け材に載置された構成が開示されている。
【００１０】
また、サイドブラシを上下に二分割、もしくは、三分割にし、それぞれ独立回転可能にして、装備品部分をブラッシングするブラシ体を低速にしたり停止させたりして、装備品を傷付けることなく洗車可能になる。例えば、特許文献１に記載の洗車機は、サイドブラシを上中下に三分割して、上段のブラシ体を回転駆動する第１回転駆動手段と下段のブラシ体を回転駆動する第２回転駆動手段を備え、中間ブラシ体を接断体を介して回転・非回転可能に第２回転駆動手段に接続している。
【先行技術文献】
【特許文献】
【００１１】
【特許文献１】特開２００９−１７３１７５号公報
【発明の概要】
【発明が解決しようとする課題】
【００１２】
特許文献１に記載の左右の支持案内保護装置（ケーブル支持案内部材に相当）は、同じ１個の受け材に案内ガイドされており、同じ位置の左右に並設された構成とされる。従って、左右のサイドブラシのストロークは、それぞれのケーブル支持案内部材が干渉しない範囲に規制されて可動範囲に限界が生じて問題となる。また、そのために、ケーブル支持案内部材同士が干渉しないように、走行ホルダーを停止させるストッパー部材が必要となる。
【００１３】
また、左右の走行ホルダーを装着する走行レール自体を傾動させて、左右のサイドブラシを一体に前後方向に傾動させるので、この傾動動作に拘らずにそれぞれのケーブル支持案内装置を安定して支持し、ストローク規定用のストッパー部材が安定して作動するように設置することが求められて、設計コストが増加して問題となる。
【００１４】
また、設計コストを低減するためには、左右のサイドブラシの可動範囲が容易に拡大できて、ストッパー部材を不要として、いずれか一方のサイドブラシを用いても被洗浄車両の前面と後面を洗浄できることが望ましい。この構成であれば、被洗浄車両の形状や装備品の装着部位により、左右いずれか一方のサイドブラシを用いて前面や後面の全域を洗浄できるようになるのでさらに好ましいと言える。
【００１５】
本発明は、上記問題点に鑑み、車両の側面をブラッシングするサイドブラシを備える洗車機において、左右のいずれか一方のサイドブラシを用いて被洗浄車両の前面と後面を洗浄できる洗車機を提供することを目的とする。
【課題を解決するための手段】
【００１６】
上記目的を達成するために本発明は、被洗浄車両と洗車機本体を前後方向に相対移動させながら洗車を行う洗車機であって、洗車機本体の左右方向に延設される走行レールと、該走行レールに走行可能に装着される左右一対の走行ホルダーと、該走行ホルダーにそれぞれ回転可能に装着される左右一対のサイドブラシと、を備え、前記サイドブラシは、前記走行ホルダーを介して開閉可能に構成され、左右のサイドブラシが両側に離れた全開位置と、左右のサイドブラシが当接する全閉位置との間を変位可能とすると共に、それぞれの走行ホルダーに接続するケーブルを挿通するケーブル支持案内部材同士が干渉しないケーブル支持構成として、いずれか一方の前記走行ホルダーが全開位置にあるときにも、他方の走行ホルダーが全閉位置となるまで移動可能にしたことを特徴としている。
【００１７】
この構成によると、ケーブル支持案内部材同士が干渉しないケーブル支持構成としたので、左右の走行ホルダーの移動限がケーブル支持案内部材同士が干渉することによる制限を受けずに、より広範囲に移動可能になる。従って、本発明によれば、車両の側面をブラッシングするサイドブラシを備える洗車機において、左右のいずれか一方のサイドブラシを用いて被洗浄車両の前面と後面を洗浄できる洗車機を得ることができる。
【００１８】
また本発明は、上記構成の洗車機において、前記ケーブル支持構成は、前記ケーブル支持案内部材を支持する案内部材支持受け台を備えると共に、前記案内部材支持受け台として、左走行ホルダーに接続する左ケーブル支持案内部材を支持する第１案内部材支持受け台と、右走行ホルダーに接続する右ケーブル支持案内部材を支持する第２案内部材支持受け台と、を設け、第１案内部材支持受け台と第２案内部材支持受け台は、その高さ方向を段ちにして、それぞれのケーブル支持案内部材同士が互いに干渉しない上下２段式とし、走行移動する左右の走行ホルダーと干渉しない領域に配設することを特徴としている。この構成によると、ケーブル支持案内部材がケーブルベア方式であっても、走行ホルダーと干渉しない領域に配設する第１案内部材支持受け台と第２案内部材支持受け台を用いて、左右のケーブル支持案内部材を互いに干渉しない上下２段式にしたので、左右の走行ホルダーの移動限がケーブル支持案内部材同士が干渉することによる制限を受けずに、より広範囲に移動可能になる。
【００１９】
また本発明は、上記構成の洗車機において、左右の走行ホルダーは互いに当接する当接部をそれぞれ備え、互いの位置に拘らずに互いに当接した位置で停止可能とされ、互いに当接した状態で、左右のサイドブラシは洗浄範囲を重なり合わせてブラッシング可能とされることを特徴としている。この構成によると、左右の走行ホルダーの移動限を規定するストッパー部材を不要にできる。また、左右の走行ホルダー同士を当接させた状態で、左右のサイドブラシを用いて被洗浄車両の前面と後面を洗浄できる。
【００２０】
また本発明は、上記構成の洗車機において、ケーブル支持案内部材の設置長さは、左サイドブラシが開限界の左側端部に居るときに、右サイドブラシはこの左サイドブラシに当接するまで移動でき、右サイドブラシが開限界の右側端部に居るときに、左サイドブラシはこの右サイドブラシに当接するまで移動できる長さとしたことを特徴としている。この構成によると、いずれか一方のサイドブラシが開限界位置に停止した状態であっても、左右の走行ホルダー同士が当接する位置まで他方のサイドブラシを移動できるので、左右のいずれか一方のサイドブラシを用いて、被洗浄車両の前面と後面の全幅を洗浄することができる。
【００２１】
また本発明は、上記構成の洗車機において、走行レールの端部軸を軸受け体に支持して前後方向に傾動可能に構成し、走行レールの左右両端部に第１案内部材支持受け台と第２案内部材支持受け台を一体に支持する支持フレームを設け、該支持フレームと走行レールとが一体に傾動することを特徴としている。この構成によると、走行レールを傾動してサイブラシを前後方向に傾動させる際に、左右のケーブル支持案内部材を段ちに保持したまま安定して傾動できる。
【００２２】
また本発明は、上記構成の洗車機において、前記当接部は左右の走行ホルダーが当接する対面部に設け、ケーブル支持案内部材は対面部を離れた背面側に接続されることを特徴としている。この構成によると、左右の走行ホルダーが当接した位置において、左右のケーブル支持案内部材の接続部位が離れているので、互いのケーブル支持案内部材同士が干渉せずに、安定して走行移動することができる。
【発明の効果】
【００２３】
本発明によれば、左右のサイドブラシを装着して移動する左右の走行ホルダーに接続するケーブル支持案内部材同士が干渉しないケーブル支持構成としたので、左右の走行ホルダーの移動限がケーブル支持案内部材同士が干渉することによる制限を受けずに、より広範囲に移動可能になる。従って、車両の側面をブラッシングするサイドブラシを備える洗車機において、左右のいずれか一方のサイドブラシを用いて被洗浄車両の前面と後面を洗浄できる洗車機を得ることができる。
【図面の簡単な説明】
【００２４】
【図１】本発明に係る洗車機の要部構成を示す概略説明図である。
【図２】左右一対のサイドブラシのケーブル支持案内部材の可動範囲を示す概略説明図である。
【図３Ａ】従来のケーブル支持案内部材の可動範囲を示す概略説明図である。
【図３Ｂ】本発明のケーブル支持案内部材の可動範囲を示す概略説明図である。
【図４】サイドブラシの取付構成を示す概略正面図である。
【図５】サイドブラシのホルダー部構成を示す正面図である。
【図６】洗車機の概略正面図である。
【図７】洗車機の全体構成を示す概略側面図である。
【発明を実施するための形態】
【００２５】
以下に本発明の実施形態を図面を参照して説明する。また、同一構成部材については同一の符号を用い、詳細な説明は適宜省略する。
【００２６】
まず、本実施形態に係る洗車機ＷＡの全体構成について図６、図７を用いて説明する。洗車機ＷＡは、被洗浄車両ＣＡと洗車機本体１を前後方向に相対移動させながら洗車を行うものであって、図６および図７に示すように、左右の対向する２つのスタンド部９０の上端を連結する天井部９１を有して門型に形成される洗車機本体（本体部）１を備える。洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００２７】
洗車機本体１の底面には地面に設けられた左右一対のレール２上に配される車輪３が設けられる。これにより、洗車機本体１はレール２上を走行して被洗浄車両ＣＡに対して前後に相対移動するように立設される。
【００２８】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面をブラッシングして洗浄し、布（織布、編布、不織布等）や樹脂繊維から成るブラシ体を放射状に固着して形成される。
【００２９】
サイドブラシ５は左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ体を有している。
【００３０】
洗車機本体１の一方の側方には洗剤やワックス等の各種液剤を貯液する複数の貯液タンク（不図示）を収納するタンク収納部１７が配される。タンク収納部１７の上方には市水及び各貯液タンクからの液剤を電磁弁等を介して分配する分配配管部１８が設けられる。分配配管部１８には第１、第２浄水ノズル１１、１３、第１、第２洗剤ノズル１２、１５、撥水コートノズル１４、ワックスノズル１６が導出される。洗車機本体１の後方には洗浄液や高圧空気を供給する供給部（不図示）が設けられ、分配配管部１８に接続される。洗浄液は市水だけでなく、洗剤やワックス等の各種液剤と混合されてもよい。
【００３１】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００３２】
また、洗車機本体１には被洗浄車両ＣＡを乾燥させる送風ノズルとしてトップ送風ノズル２１とサイド送風ノズル２２とを設けている。洗車機本体１の手前側上部にはトップ送風ノズル２１が設けられ、両側方にサイド送風ノズル２２が設けられる。トップ送風ノズル２１及びサイド送風ノズル２２はブロワ２０からの送風を被洗浄車両ＣＡに対して吹き付けて乾燥させる。
【００３３】
洗車機本体１の前面上部には車両センサ８（車形検知部）が設けられている。車両センサ８は光電センサや超音波センサ等から成り、洗車機本体１に進入する被洗浄車両ＣＡを検知し車体の幅方向突出した装備品も検知する。また、洗車機本体１の入り口部には、被洗浄車両ＣＡの車形を検知する車形検知センサ９（車形検知部）を設けている。この車形検知センサ９は、透過式光電センサからなるエリアセンサであって、洗車機本体１の一方の側部の上下方向に投光器を併設し、これらの投光器に対向する他方の側部の上下方向に受光器を併設することで、洗浄位置に進入してくる被洗浄車両の車形を検知して、その先端部と後端部およびボンネット高さや車高を検知する。
【００３４】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００３５】
洗車条件の設定としてはシャンプー、ワックス掛け、撥水コート等を水洗いに追加するボタンが操作パネル７及びリモートパネル７Ａに設けられる。また、高級なシャンプー、高級なワックス（例えば、艶出しコーティング）、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００３６】
サイドブラシ５は、図４に示すように、洗車機本体１の上部の幅方向に配設される走行レール３０に、被洗浄車両の正面側から見た左右方向に移動自在に吊り下げ状態に支持され、且つ、左右一対のそれぞれのブラシ軸５２がそれぞれ走行ホルダー５０（５０Ａ、５０Ｂ）に回転自在に支持されて構成されている。例えば、図に示すように、左サイドブラシ５Ａが左走行ホルダー５０Ａに回転可能に支持され、右サイドブラシ５Ｂが右走行ホルダー５０Ｂに回転可能に支持されている。
【００３７】
左右一対のサイドブラシ５（５Ａ、５Ｂ）は、それぞれが揺動支持部５１を介して揺動自在に吊り下げられ、それぞれの走行ホルダー５０（５０Ａ、５０Ｂ）を介して走行レール３０に沿って往復移動自在な構成とされている。また、別に設ける回転駆動用モータによってブラシ軸５２が回転可能とされる。そのために、ブラシを被洗浄車両ＣＡの傾斜した側面部に対応して傾斜させて当接させた状態で回転させることができる。つまり、サイドブラシ５（５Ａ、５Ｂ）を被洗浄車両ＣＡの傾斜した側面部に合致させてブラッシングすることが可能な構成である。
【００３８】
また、左走行ホルダー５０Ａと右走行ホルダー５０Ｂとをそれぞれ独立して走行可能としているので、洗車機本体１に対する被洗浄車両の左右方向の位置がずれた位置であっても、左走行ホルダー５０Ａを矢印Ｄ１１方向に移動し、右走行ホルダー５０Ｂを矢印Ｄ１２方向にそれぞれ移動して、左右のサイドブラシ５（５Ａ、５Ｂ）を適当な位置に配置して所望の洗浄効果を発揮して、安定した洗車が可能となる。
【００３９】
揺動支持部５１を介して揺動自在に吊り下げられているサイドブラシ５（５Ａ、５Ｂ）を用いて被洗浄車両ＣＡの側面を洗浄する際には、例えば、それぞれのサイドブラシ５（５Ａ、５Ｂ）を被洗浄車両ＣＡの側面に当接させ、さらに少し進めて揺動支持部５１を介して所定角度傾斜させた状態で回転させて洗浄する。また、所定角度傾斜させた後、所定距離戻してその傾斜を小さくした位置でそれぞれのサイドブラシ５（５Ａ、５Ｂ）を回転操作して、車両側面への押し付け強さを緩和してそれぞれの側面の洗車を同時に行うこともある。また、この際にこの洗浄する傾斜した姿勢を維持するために、ウエイトの付勢力を利用して押し付け強さを得る場合もある。
【００４０】
次に、図５を用いて洗車機ＷＡが備えるサイドブラシ５のホルダー部構成ＳＢについて説明する。
【００４１】
本実施形態に係るホルダー部構成ＳＢは、走行レール３０に沿って走行可能な走行ホルダー５０（５０Ａ、５０Ｂ）にサイドブラシ５（５Ａ、５Ｂ）を回転可能且つ揺動可能に支持した構成である。走行ホルダー５０（５０Ａ、５０Ｂ）は、ホルダー本体３１に、走行モータ３２と該走行モータ３２により駆動される走行車輪３３と、走行ホルダー５０を走行レール３０の上案内軌道面３０ａに沿って摺動可能に支持する案内ローラ３４と下案内軌道面３０ｂに沿って摺動可能に支持する案内ローラ３５とを備えている。また、サイドブラシ５（５Ａ、５Ｂ）のブラシ軸５２を回転駆動する駆動部材６０と、前述した揺動支持部５１と、ブラシ軸５２の揺動角度を検知する揺動角度検知センサ３７とを備えている。
【００４２】
サイドブラシ５（５Ａ、５Ｂ）のブラシ軸５２を回転駆動する駆動部材６０は、プーリ６１Ａを駆動するための駆動力伝達索体６２Ａと駆動モータ６０Ａ（図１参照）を備えている。駆動力伝達索体６２Ａはベルトやチェーンなどを用いることができる。
【００４３】
揺動支持部５１は、ブラシ軸５２を回転可能且つ揺動可能に支持する構成であれば、どのような構成でもよい。例えば、ブラシ軸５２を回転可能に支持する支持部を一体に揺動可能な構成とすることも、ブラシ軸５２を、回転軸５２Ｂと固定軸５２Ａとの二重構成とし、固定軸５２Ａを揺動可能に支持し、この固定軸５２Ａ内部に回転可能に回転軸５２Ｂを装着する構成とすることもできる。
【００４４】
また、サイドブラシ５（５Ａ、５Ｂ）を上下二段式として、それぞれを別個に回転駆動する場合には、例えば、回転可能なブラシ軸５２または固定軸５２Ａの下部に、外回転軸５３を回転可能に設けて上サイドブラシを装着し、プーリ６１Ｂと駆動力伝達索体６２Ｂを介装し、前記回転可能なブラシ軸５２または回転軸５２Ｂを前記外回転軸５３を貫通させて下まで延設し、この延設部に下サイドブラシを装着することで、上下二段式のサイドブラシ５を回転駆動可能となる。
【００４５】
上記したように、揺動支持部５１を用いてブラシ軸５２を回転可能且つ揺動可能に支持することができ、サイドブラシ５（５Ａ、５Ｂ）が車両の側面に当接してブラシ軸５２を揺動した姿勢で、サイドブラシ５（５Ａ、５Ｂ）を回転駆動しブラッシングして洗浄を行うことができる。
【００４６】
また、ブラシ軸５２の揺動角度を検知する揺動角度検知センサ３７を介して、ブラシ軸５２が予め設定される所定角度θ（例えば、６°）揺動したときに、走行モータ３２の駆動を停止する。ブラシ軸５２が所定角度θ揺動した位置は、サイドブラシ５（５Ａ、５Ｂ）が確実に被洗浄車両の側面に当接した状態であって、この状態を維持したまま側面を洗浄することも可能である。
【００４７】
３６は揺動規制体であって、予め定める所定角度θ以上に揺動したときに、この揺動を規制する部材であり、金属製部材にゴムなどの緩衝体を装着した構成とされる。また、ホルダー本体３１の位置を検知するための位置センサ３８とブラシ軸５２を垂直方向に維持するよう弾性的に付勢するばね３９を備えている。
【００４８】
さらに、図示していないが、左走行ホルダー５０Ａ、右走行ホルダー５０Ｂの開閉方向のそれぞれの限度を規定する開限センサや閉限センサを設けることもできる。
【００４９】
上記のホルダー部構成ＳＢを用いることで、それぞれの走行ホルダー５０（５０Ａ、５０Ｂ）を摺動移動して、左右一対のサイドブラシ５（５Ａ、５Ｂ）を開閉駆動可能となる。また、それぞれのサイドブラシ５（５Ａ、５Ｂ）を車両の側面に当接させ所定角度θ揺動した位置で開閉移動を停止して、この位置から少し逆戻りした位置で洗浄を開始する。この洗浄の際には、それぞれのサイドブラシ５（５Ａ、５Ｂ）を回転駆動するそれぞれの駆動モータの電流値を検知して、所定の電流値（閾値）内に抑えるように制御する。すなわち、所定の電流値に達するまで車体側部に近接移動する。
【００５０】
例えば、駆動モータの電流値を高い閾値に設定することで、サイドブラシ５（５Ａ、５Ｂ）をより近接させて車体側部に対する押付強さを強くすることができ、駆動モータの電流値を低い閾値に設定することで、サイドブラシ５（５Ａ、５Ｂ）の車体側部に対する押付強さを弱くすることができる。また、サイドブラシ５（５Ａ、５Ｂ）の車体側部に対する当接長さによって、サイドブラシ５（５Ａ、５Ｂ）の車体側部に対する押付強さを変化させてもよい。
【００５１】
上記したように、左右一致のサイドブラシ５（５Ａ、５Ｂ）は、走行レール３０に沿って走行移動する走行ホルダー５０（５０Ａ、５０Ｂ）を介して左右方向に移動可能に構成される。すなわち、左右のサイドブラシ５Ａ、５Ｂは開閉移動する。
【００５２】
走行ホルダー５０（５０Ａ、５０Ｂ）は駆動モータ６０Ａや走行モータ３２などの電装部品を備えて走行移動するので、それぞれの走行ホルダーに接続する電力ケーブルや信号ケーブルなどのケーブルを挿通するケーブル支持案内部材７２Ａ、７２Ｂ（例えば、ケーブルベア（登録商標））を備えている。
【００５３】
そこで、ケーブル支持案内部材の装着構成、すなわち、ケーブル支持構成について図１、図２を用いて説明する。図１は本発明に係る洗車機の要部構成を示す概略説明図であって、走行ホルダー５０（５０Ａ、５０Ｂ）部の概略断面図である。また、図２は、左右一対のサイドブラシのケーブル支持案内部材の可動範囲を示す概略説明図である。
【００５４】
図１の概略断面図に示すように、走行ホルダー５０（５０Ａ、５０Ｂ）は走行レール３０の上部ガイドレール部に走行車輪３３が係合し、下部ガイドレール部に案内ローラ３５が係合して走行モータ３２により走行可能に装着されている。また、サイドブラシ５（５Ａ、５Ｂ）のブラシ軸５２を回転駆動するための、駆動モータ６０Ａとプーリ６１Ａと駆動力伝達索体６２Ａを備えている。また、ブラシ軸５２は揺動支持部５１を介して揺動可能に支持されている。
【００５５】
走行ホルダー５０（５０Ａ、５０Ｂ）に接続するケーブルを挿通するケーブル支持案内部材７２Ａ、７２Ｂは、走行ホルダー５０（５０Ａ、５０Ｂ）の外側に、すなわち、走行移動する走行ホルダー５０（５０Ａ、５０Ｂ）と干渉しない領域に上下二段式に設けられている。従って、本実施形態に係る洗車機ＷＡは、それぞれの走行ホルダー５０（５０Ａ、５０Ｂ）に接続するケーブルを挿通するケーブル支持案内部材７２Ａ、７２Ｂと、ケーブル支持案内部材７２Ａ、７２Ｂを支持する案内部材支持受け台７１Ａ、７１Ｂと、を備え、左走行ホルダー５０Ａに接続する左ケーブル支持案内部材７２Ａを支持する第１案内部材支持受け台７１Ａと、右走行ホルダー５０Ｂに接続する右ケーブル支持案内部材７２Ｂを支持する第２案内部材支持受け台７１Ｂを、高さ方向を段ちにしてケーブル支持案内部材７２Ａ、７２Ｂ同士が互いに干渉しない上下２段式とし、走行移動する左右の走行ホルダー５０Ａ、５０Ｂと干渉しない領域に配設している。
【００５６】
すなわち、サイドブラシ５（５Ａ、５Ｂ）は、走行ホルダー５０（５０Ａ、５０Ｂ）を介して開閉可能に構成され、左右のサイドブラシ５Ａ、５Ｂが両側に離れた全開位置と、左右のサイドブラシ５Ａ、５Ｂが当接する全閉位置との間を変位可能とすると共に、それぞれの走行ホルダー５０（５０Ａ、５０Ｂ）に接続するケーブルを挿通するケーブル支持案内部材同士が干渉しないケーブル支持構成として、いずれか一方の走行ホルダー５０（５０Ａ、５０Ｂ）が全開位置にあるときにも、他方の走行ホルダー５０（５０Ａ、５０Ｂ）が全閉位置となるまで移動可能にしている。
【００５７】
上記構成により、左右の走行ホルダー５０Ａ、５０Ｂがそれぞれ単独で左右の限界位置まで移動可能になる。すなわち、本実施形態によれば、ケーブル支持案内部材７２Ａ、７２Ｂがケーブルベア方式であっても、走行ホルダー５０Ａ、５０Ｂと干渉しない領域に配設する第１案内部材支持受け台７１Ａと第２案内部材支持受け台７１Ｂを用いて、左右のケーブル支持案内部材７２Ａ、７２Ｂ同士が互いに干渉しない上下２段式にしたので、左右の走行ホルダー５０Ａ、５０Ｂの移動限がケーブル支持案内部材同士が干渉することによる制限を受けずに、より広範囲に移動可能になる。従って、車両の側面をブラッシングするサイドブラシ５を備える洗車機ＷＡにおいて、左右のいずれか一方のサイドブラシ５（５Ａ、５Ｂ）を用いて被洗浄車両ＣＡの前面と後面を洗浄可能になる。
【００５８】
また、図２に示すように、左サイドブラシ５Ａが開限界の左側端部に居るときに、右サイドブラシ５Ｂはこの左サイドブラシ５Ａａに当接する右サイドブラシ５Ｂｂになるまで移動できるようにし、右サイドブラシ５Ｂが開限界の右側端部に居るときに、左サイドブラシ５Ａはこの右サイドブラシ５Ｂａに当接する左サイドブラシ５Ａｂになるまで移動できるようにしている。
【００５９】
また、左ケーブル支持案内部材７２Ａは支持受け台固定部７３Ａを介して一端を案内部材支持受け台７１Ａに固定し、他端部を走行ホルダー５０Ａの所定部位に接続しており、左端の左サイドブラシ５Ａａから右端の左サイドブラシ５Ａｂまで移動可能に設定される。同様に、右ケーブル支持案内部材７２Ｂは支持受け台固定部７３Ｂを介して一端を案内部材支持受け台７１Ｂに固定し、他端部を走行ホルダー５０Ｂの所定部位に接続しており、右端の右サイドブラシ５Ｂａから左端の右サイドブラシ５Ｂｂまで移動可能に設定される。
【００６０】
すなわち、ケーブル支持案内部材７２Ａ、７２Ｂの設置長さは、左サイドブラシ５Ａが開限界の左側端部に居るときに、右サイドブラシ５Ｂはこの左サイドブラシ５Ａに当接するまで移動でき、右サイドブラシ５Ｂが開限界の右側端部に居るときに、左サイドブラシ５Ａはこの右サイドブラシ５Ｂに当接するまで移動できる長さとしている。また、左右の走行ホルダー５０同士が当接する場合には、左走行ホルダー５０Ａに設ける当接部５５Ａと右走行ホルダー５０Ｂに設ける当接部５５Ｂとが当接するようにしている。
【００６１】
従って、左右の走行ホルダー５０Ａ、５０Ｂは互いに当接する当接部５５Ａ、５５Ｂをそれぞれ備え、互いの位置に拘らずに互いに当接した位置で停止可能とされる。この構成であれば、左右の走行ホルダー５０Ａ、５０Ｂの移動限を規定するストッパー部材を不要にできる。また、互いに当接した状態で、左右のサイドブラシ５Ａ、５Ｂは洗浄範囲を重なり合わせてブラッシング可能とされる。従って、右サイドブラシ５Ｂが開限界の右側端部に居るときに、左サイドブラシ５Ａはこの右サイドブラシ５Ｂａに当接するまで移動でき、左サイドブラシ５Ａｂとなって走行ホルダー同士が当接した位置で停止するので、左右のいずれか一方のサイドブラシ５（５Ａ、５Ｂ）を用いて、被洗浄車両ＣＡの前面と後面の全範囲をカバーして洗浄することができる。
【００６２】
また、走行レール３０の左右両端部に第１案内部材支持受け台７１Ａと第２案内部材支持受け台７１Ｂを一体に支持する支持フレーム７０を固定し、該支持フレーム７０と走行フレーム３０とが一体に傾動するようにしている。この構成であれば、走行レール３０を傾動してサイブラシ５（５Ａ、５Ｂ）を前後方向に傾動させる際に、左右のケーブル支持案内部材７２Ａ、７２Ｂを段ちに保持したまま安定して傾動できる。
【００６３】
当接部５５Ａ、５５Ｂは、金属製フレームから成るホルダー本体３１の所定部位にゴムなどの緩衝体を装着した構成であればよい。また、当接部５５Ａ、５５Ｂは左右の走行ホルダー５０Ａ、５０Ｂが当接する対面部に設け、ケーブル支持案内部材７２Ａ、７２Ｂは対面部を離れた背面側に接続されることが好ましい。この構成であれば、左右の走行ホルダー５０Ａ、５０Ｂが当接した位置において、左右のケーブル支持案内部材７２Ａ、７２Ｂの接続部位が離れているので、互いのケーブル支持案内部材同士が干渉せずに、安定して走行移動することができる。
【００６４】
次に、図３Ａと図３Ｂを用いて従来のケーブル支持構成と本発明に係るケーブル支持構成との相違について説明する。図３Ａは、従来のケーブル支持案内部材の可動範囲を示す概略説明図であり、図３Ｂは、本発明のケーブル支持案内部材の可動範囲を示す概略説明図である。
【００６５】
図３Ａに示すように、従来のケーブル支持構成は、１つの案内部材支持受け台７１Ｃに左ケーブル支持案内部材７２Ｃａと右ケーブル支持案内部材７２Ｃｂを一体に載置して支持した構成である。
【００６６】
左ケーブル支持案内部材７２Ｃａは支持受け台固定部７３Ｃａを介して一端を案内部材支持受け台７１Ｃに固定し、他端部が走行ホルダー接続部７４Ｃａとなる。そこで、走行ホルダーの走行移動に連動して走行ホルダー接続部７４Ｃａは距離ＨＣａ移動する。
【００６７】
同様に、右ケーブル支持案内部材７２Ｃｂは支持受け台固定部７３Ｃｂを介して一端を案内部材支持受け台７１Ｃに固定し、他端部が走行ホルダー接続部７４Ｃｂとなる。そして、走行ホルダーの走行移動に連動して走行ホルダー接続部７４Ｃｂは距離ＨＣｂ移動する。
【００６８】
距離ＨＣａと距離ＨＣｂは略等しくて、被洗浄車両ＣＡの前面と後面の幅方向の全域を左右のサイドブラシを同時に用いて洗浄する構成である。
【００６９】
一方、図３Ｂに示す本発明のケーブル支持構成は、ケーブル支持案内部材同士が干渉しないケーブル支持構成であって、第１案内部材支持受け台７１Ａと第２案内部材支持受け台７１Ｂを上下に段ちに配置した２段構成としている。すなわち、第１案内部材支持受け台７１Ａが左ケーブル支持案内部材７２Ａを支持し、第２案内部材支持受け台７１Ｂが右ケーブル支持案内部材７２Ｂを支持する。
【００７０】
また、左ケーブル支持案内部材７２Ａは支持受け台固定部７３Ａを介して一端を案内部材支持受け台７１Ａに固定し、他端部が走行ホルダー接続部７４Ａとなり、走行ホルダーの走行移動に連動して走行ホルダー接続部７４Ａは距離ＨＡ移動する。右ケーブル支持案内部材７２Ｂは支持受け台固定部７３Ｂを介して一端を案内部材支持受け台７１Ｂに固定し、他端部が走行ホルダー接続部７４Ｂとなり、走行ホルダーの走行移動に連動して走行ホルダー接続部７４Ｂは距離ＨＢ移動する。
【００７１】
距離ＨＡの右に記載の距離ＨＸは、開限界の右側端部に居る右走行ホルダー５０Ｂに左走行ホルダー５０Ａが当接したときの走行ホルダー接続部７４Ａと走行ホルダー接続部７４Ｂとの間隔である。また、逆の左側端部においても同様に、走行ホルダー接続部７４Ａと走行ホルダー接続部７４Ｂとの間隔は距離ＨＸとなる。
【００７２】
すなわち、左ケーブル支持案内部材７２Ａは、一端を支持受け台固定部７３Ａとして第１案内部材支持受け台７１Ａに固定し、他端を走行ホルダー接続部７４Ａとして左走行ホルダー５０Ａに接続したときに、距離ＨＡ移動可能な長さに設定されている。そこで、この距離ＨＡ移動する過程において、左サイドブラシ５Ａが被洗浄車両ＣＡの幅全域を洗浄可能にしておくことにより、左サイドブラシ５Ａのみを用いて被洗浄車両ＣＡの前面と後面を洗浄可能になる。
【００７３】
右サイドブラシ５Ｂの右ケーブル支持案内部材７２Ｂについても同じであり、距離ＨＢ移動可能な長さに設定しておくことにより、右サイドブラシ５Ｂのみを用いて被洗浄車両ＣＡの前面と後面を洗浄可能になる。
【００７４】
例えば、距離ＨＡが２．２ｍ程度であれば被洗浄車両ＣＡの前面や後面を左サイドブラシ５Ａのみを用いて洗浄可能になる。そのために、距離ＨＡおよび距離ＨＢを２．２ｍ以上に設定することにより、左右のいずれか一方のサイドブラシ５を用いて被洗浄車両ＣＡの前面と後面を洗浄できる。
【００７５】
上記したように、本発明に係る洗車機ＷＡは、被洗浄車両ＣＡと洗車機本体１を前後方向に相対移動させながら洗車を行う洗車機であって、洗車機本体１の左右方向に延設される走行レール３０と、該走行レール３０に走行可能に装着される左右一対の走行ホルダー５０（５０Ａ、５０Ｂ）と、該走行ホルダーにそれぞれ回転可能に装着される左右一対のサイドブラシ５（５Ａ、５Ｂ）と、を備え、サイドブラシ５（５Ａ、５Ｂ）は、走行ホルダー５０（５０Ａ、５０Ｂ）を介して開閉可能に構成され、左右のサイドブラシ５Ａ、５Ｂが両側に離れた全開位置と、左右のサイドブラシ５Ａ、５Ｂが当接する全閉位置との間を変位可能とすると共に、それぞれの走行ホルダー５０（５０Ａ、５０Ｂ）に接続するケーブルを挿通するケーブル支持案内部材同士が干渉しないケーブル支持構成として、いずれか一方の走行ホルダー５０（５０Ａ、５０Ｂ）が全開位置にあるときにも、他方の走行ホルダー５０（５０Ａ、５０Ｂ）が全閉位置となるまで移動可能にしたことを特徴としている。
【００７６】
この構成であれば、ケーブル支持案内部材同士が干渉しないケーブル支持構成としたので、左右の走行ホルダー５０（５０Ａ、５０Ｂ）の移動限がケーブル支持案内部材同士が干渉することによる制限を受けずに、より広範囲に移動可能になる。従って、本発明によれば、車両の側面をブラッシングするサイドブラシ５（５Ａ、５Ｂ）を備える洗車機において、左右のいずれか一方のサイドブラシ５（５Ａ、５Ｂ）を用いて被洗浄車両ＣＡの前面と後面を洗浄できる洗車機ＷＡを得ることができる。
【００７７】
また、本発明に係るケーブル支持構成は、ケーブル支持案内部材７２Ａ、７２Ｂを支持する案内部材支持受け台として、左走行ホルダー５０Ａに接続する左ケーブル支持案内部材７２Ａを支持する第１案内部材支持受け台７１Ａと、右走行ホルダー５０Ｂに接続する右ケーブル支持案内部材７２Ｂを支持する第２案内部材支持受け台７１Ｂと、を設けると共に、第１案内部材支持受け台７１Ａと第２案内部材支持受け台７１Ｂは、その高さ方向を段ちにして、それぞれのケーブル支持案内部材同士が互いに干渉しない上下２段式とし、走行移動する左右の走行ホルダー５０（５０Ａ、５０Ｂ）と干渉しない領域に配設したことである。
【００７８】
この構成であれば、ケーブル支持案内部材７２Ａ、７２Ｂがケーブルベア方式であっても、走行ホルダー５０と干渉しない領域に配設する第１案内部材支持受け台７１Ａと第２案内部材支持受け台７１Ｂを用いて、左右のケーブル支持案内部材７２Ａ、７２Ｂを互いに干渉しない上下２段式にしたので、左右の走行ホルダー５０の移動限がケーブル支持案内部材同士が干渉することによる制限を受けずに、より広範囲に移動可能になる。
【００７９】
また、左右の走行ホルダー５０Ａ、５０Ｂは互いに当接する当接部５５Ａ、５５Ｂをそれぞれ備え、互いの位置に拘らずに互いに当接した位置で停止可能とされ、互いに当接した状態で、左右のサイドブラシ５Ａ、５Ｂは洗浄範囲を重なり合わせてブラッシング可能とされることが好ましく、当接部５５Ａ、５５Ｂは左右の走行ホルダー５０Ａ、５０Ｂが当接する対面部に設け、ケーブル支持案内部材７２Ａ、７２Ｂは対面部を離れた背面側に接続されることが好ましい。
【００８０】
また、走行レール３０の端部軸を軸受け体４１に支持して前後方向に傾動可能に構成し、走行レール３０の左右両端部に第１案内部材支持受け台７１Ａと第２案内部材支持受け台７１Ｂを一体に支持する支持フレーム７０を設け、該支持フレーム７０と走行レール３０とが一体に傾動することが好ましい。
【００８１】
この構成によると、左右の走行ホルダーの移動限を規定するストッパー部材を不要にできる。また、左右の走行ホルダー同士を当接させた状態で、左右のサイドブラシを用いて被洗浄車両の前面と後面を洗浄できる。
【００８２】
上記したように、本発明によれば、左右のサイドブラシを装着して移動する左右の走行ホルダーに接続するケーブル支持案内部材を支持する第１、第２案内部材支持受け台を、高さ方向を段ちにした互いに干渉しない上下２段式とし、走行移動する左右の走行ホルダーと干渉しない領域に配設する構成としたので、左右の走行ホルダーの移動限がケーブル支持案内部材同士が干渉することによる制限を受けずに、より広範囲に移動可能になる。従って、車両の側面をブラッシングするサイドブラシを備える洗車機において、左右のいずれか一方のサイドブラシを用いて被洗浄車両の前面と後面を洗浄できる洗車機を得ることができる。
【００８３】
そのために、左右のサイドブラシの仕様を異ならせておき、いずれか一方のサイドブラシを用いて車両の前面と後面を洗浄することや、安全確認のための補助ミラーを車両の片側前方に設けた車両に対しては、逆側のサイドブラシを用いて車両前面を洗浄することなどを容易に選択できて、前面・後面の洗浄操作のバリエーションを増加できる。
【産業上の利用可能性】
【００８４】
そのために、本発明に係る洗車機は、多種多様な被洗浄車両に対して洗車を実行することが求められる洗車場の洗車機に好適に適用される。
【符号の説明】
【００８５】
１    洗車機本体
５    サイドブラシ
５Ａ  左サイドブラシ
５Ｂ  右サイドブラシ
３０    走行レール
４１    軸受け体
５０    走行ホルダー
５０Ａ  左走行ホルダー
５０Ｂ  右走行ホルダー
５５Ａ、５５Ｂ  当接部
７０    支持フレーム
７１Ａ，７１Ｂ  案内部材支持受け台
７２Ａ、７２Ｂ  ケーブル支持案内部材
７３Ａ、７３Ｂ  支持受け台固定部
７４Ａ、７４Ｂ  走行ホルダー接続部
ＣＡ    被洗浄車両
ＷＡ    洗車機
【図１】
2015205554.tif 000003
【図２】
2015205554.tif 000004
【図３Ａ】
2015205554.tif 000005
【図３Ｂ】
2015205554.tif 000006
【図４】
2015205554.tif 000007
【図５】
2015205554.tif 000008
【図６】
2015205554.tif 000009
【図７】
2015205554.tif 000010